【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
複数の報知手段と、
複数種類の演出手段を少なくとも制御可能な演出制御手段を
備えた遊技台であって、
前記演出制御手段は、ＣＰＵを少なくとも含んで構成されたものであり、
前記演出制御手段は、期間情報記憶手段を少なくとも含んで構成されたものであり、
前記演出制御手段は、制御情報記憶手段を少なくとも含んで構成されたものであり、
前記期間情報記憶手段は、期間情報が少なくとも記憶されたものであり、
前記制御情報記憶手段は、制御情報が少なくとも記憶されたものであり、
前記期間情報は、前記複数種類の演出手段のそれぞれを制御する期間に関する情報を少なくとも含むものであり、
前記期間情報は、前記複数種類の演出手段で共通の形式をしたものであり、
前記制御情報は、前記複数種類の演出手段のそれぞれを制御する内容に関する情報を少なくとも含むものであり、
前記制御情報は、前記複数種類の演出手段のそれぞれに少なくとも対応する形式をしたものであり、
前記複数の報知手段は、同一種類の演出手段であり、
前記複数の報知手段は、前記複数種類の演出手段における一の種類の前記演出手段であり、
前記複数の報知手段のうちの少なくとも一つは、第一の報知手段であり、
前記複数の報知手段のうちの少なくとも一つは、第二の報知手段であり、
前記演出制御手段は、第一の制御情報を参照して前記第一の報知手段を少なくとも制御可能なものであり、
前記演出制御手段は、第二の制御情報を参照して前記第二の報知手段を少なくとも制御可能なものであり、
前記第一の制御情報は、前記第二の制御情報とは異なるものである、
ことを特徴とする遊技台。
【請求項２】
請求項１に記載の遊技台であって、
前記演出制御手段は、前記第一の制御情報を参照して前記第二の報知手段を少なくとも制御可能なものである、
ことを特徴とする遊技台。
【請求項３】
請求項１または２に記載の遊技台であって、
枠と、
遊技盤を備え、
前記第一の報知手段は、前記枠側に配設された枠ランプを少なくとも含むものであり、
前記第二の報知手段は、前記遊技盤側に配設された盤ランプを少なくとも含むものである、
ことを特徴とする遊技台。
【請求項４】
請求項１または２に記載の遊技台であって、
前記第一の制御情報は、スピーカから第一の音を出力するための情報を少なくとも含むものであり、
前記第二の制御情報は、前記スピーカから前記第一の音とは異なる第二の音を出力するための情報を少なくとも含むものである、
ことを特徴とする遊技台。
【手続補正２】
【補正対象書類名】明細書
【補正対象項目名】０００８
【補正方法】変更
【補正の内容】
【０００８】
本発明に係る遊技台は、複数の報知手段と、複数種類の演出手段を少なくとも制御可能な演出制御手段を備えた遊技台であって、前記演出制御手段は、ＣＰＵを少なくとも含んで構成されたものであり、前記演出制御手段は、期間情報記憶手段を少なくとも含んで構成されたものであり、前記演出制御手段は、制御情報記憶手段を少なくとも含んで構成されたものであり、前記期間情報記憶手段は、期間情報が少なくとも記憶されたものであり、前記制御情報記憶手段は、制御情報が少なくとも記憶されたものであり、前記期間情報は、前記複数種類の演出手段のそれぞれを制御する期間に関する情報を少なくとも含むものであり、前記期間情報は、前記複数種類の演出手段で共通の形式をしたものであり、前記制御情報は、前記複数種類の演出手段のそれぞれを制御する内容に関する情報を少なくとも含むものであり、前記制御情報は、前記複数種類の演出手段のそれぞれに少なくとも対応する形式をしたものであり、前記複数の報知手段は、同一種類の演出手段であり、前記複数の報知手段は、前記複数種類の演出手段における一の種類の前記演出手段であり、前記複数の報知手段のうちの少なくとも一つは、第一の報知手段であり、前記複数の報知手段のうちの少なくとも一つは、第二の報知手段であり、前記演出制御手段は、第一の制御情報を参照して前記第一の報知手段を少なくとも制御可能なものであり、前記演出制御手段は、第二の制御情報を参照して前記第二の報知手段を少なくとも制御可能なものであり、前記第一の制御情報は、前記第二の制御情報とは異なるものである、ことを特徴とする遊技台である。
【手続補正３】
【補正対象書類名】明細書
【補正対象項目名】０４５８
【補正方法】変更
【補正の内容】
【０４５８】
本実施例１に係るパチンコ機１００によれば、演出装置の制御に使用するデータを、演出装置に依存しない共通データと、演出装置に依存する固有データに分けて管理することができる。そのため、演出装置の仕様変更や演出装置の新規採用などが必要な場合でも、演出装置に依存しない共通データを流用しつつ、演出装置に依存する固有データのみを新たな演出装置に合わせて変更すればよく、演出装置の仕様変更や演出装置の新規採用などに柔軟に対応することができる場合がある。このため、演出設計に自由度を持たせることで、遊技台の興趣を向上させることができる場合がある。
また、本実施例に係る遊技台（例えば、パチンコ機１００）は、複数の報知手段と、複数種類の演出手段を少なくとも制御可能な演出制御手段を備えた遊技台であって、前記演出制御手段は、ＣＰＵを少なくとも含んで構成されたものであり、前記演出制御手段は、期間情報記憶手段を少なくとも含んで構成されたものであり、前記演出制御手段は、制御情報記憶手段を少なくとも含んで構成されたものであり、前記期間情報記憶手段は、期間情報が少なくとも記憶されたものであり、前記制御情報記憶手段は、制御情報が少なくとも記憶されたものであり、前記期間情報は、前記複数種類の演出手段のそれぞれを制御する期間に関する情報を少なくとも含むものであり、前記期間情報は、前記複数種類の演出手段で共通の形式をしたものであり、前記制御情報は、前記複数種類の演出手段のそれぞれを制御する内容に関する情報を少なくとも含むものであり、前記制御情報は、前記複数種類の演出手段のそれぞれに少なくとも対応する形式をしたものであり、前記複数の報知手段は、同一種類の演出手段であり、前記複数の報知手段は、前記複数種類の演出手段における一の種類の前記演出手段であり、前記複数の報知手段のうちの少なくとも一つは、第一の報知手段であり、前記複数の報知手段のうちの少なくとも一つは、第二の報知手段であり、前記演出制御手段は、第一の制御情報を参照して前記第一の報知手段を少なくとも制御可能なものであり、前記演出制御手段は、第二の制御情報を参照して前記第二の報知手段を少なくとも制御可能なものであり、前記第一の制御情報は、前記第二の制御情報とは異なるものである、ことを特徴とする遊技台である。
本実施例に係る遊技台によれば、演出手段の制御に使用するデータを、演出手段に依存しない共通データと、演出手段に依存する固有データに分けて管理することができる。このため、演出手段の仕様変更や演出手段の新規採用などが必要な場合でも、演出手段に依存しない共通データを流用しつつ、演出手段に依存する固有データのみを新たな演出手段に合わせて変更すればよく、演出手段の仕様変更や演出手段の新規採用などに柔軟に対応することができる場合がある。また、複数種類の演出手段を各々の制御情報に基づいて制御することができるため、各々の演出手段に対してキメ細やかな制御が可能で、演出効果を高めることができる場合がある。